(57)【特許請求の範囲】
【請求項１】
ウェブに印刷を行なう複数の印刷部と、前記複数の印刷部を選択的に使用して複数の前記ウェブが所定の順序に重なるようにパスルートを選定可能なウェブパス部と、前記ウェブパス部を経た前記複数のウェブを集合させ重合させるウェブ集合部と、重合した前記複数のウェブに断裁及び折りを実施し印刷物に仕上げる折部と、を有する印刷機に付設され、前記印刷機の運転状態情報を出力する出力装置をそなえ、前記印刷機の運転管理を支援する印刷機の運転支援装置であって、
前記出力装置は、前記使用する印刷部の選択情報と前記パスルートの選定情報とに基づいて、前記印刷部の運転操作パラメータ情報と前記ウェブ集合部の運転操作パラメータ情報とを関連付けて前記運転状態情報として出力する
ことを特徴とする、印刷機の運転支援装置。
【請求項２】
前記出力装置は、前記印刷機の運転状態情報を画像表示する表示装置であるとともに、前記の各運転操作パラメータは、前記ウェブの張力状態であって、
前記表示装置には、前記運転状態情報として、前記複数の各印刷部における前記ウェブの張力状態の検出情報と、前記ウェブ集合部において集合する各前記ウェブの張力状態の検出情報とが、互いに関連付けて表示される
ことを特徴とする、請求項１記載の印刷機の運転支援装置。
【請求項３】
前記表示装置による表示モードとして、
前記複数の各印刷部における前記ウェブの張力状態の検出情報、及び、前記ウェブ集合部において集合する各前記ウェブの張力状態の検出情報を、それぞれ、前記複数の各印刷部、及び、前記ウェブ集合部の物理位置に対応させて表示する物理位置対応表示モードと、
前記複数の各印刷部における前記ウェブの張力状態の検出情報と、前記ウェブ集合部において集合する各前記ウェブの張力状態の検出情報とを、ウェブ単位で並べて表示するウェブ単位表示モードとを備えている
ことを特徴とする、請求項２記載の印刷機の運転支援装置。
【請求項４】
前記表示装置による画像表示の際に、該表示画像に対応した前記運転操作パラメータを変更操作する入力装置をそなえ、
前記表示装置による前記表示画像には、前記運転状態情報と並べて、前記入力装置による変更操作入力状態が表示される
ことを特徴とする、請求項２又は３記載の印刷機の運転支援装置。
【請求項５】
前記使用する印刷部の選択情報と前記パスルートの選定情報とには、前記印刷機の運転準備時に入力された運転条件情報が用いられる
ことを特徴とする、請求項１〜４の何れか１項に記載の印刷機の運転支援装置。
【請求項６】
ウェブに印刷を行なう複数の印刷部と、前記複数の印刷部を選択的に使用して複数の前記ウェブを所定の順序に重なるようにパスルートを選定可能なウェブパス部と、前記ウェブパス部を経た前記複数のウェブを集合させ重合させるウェブ集合部と、重合した前記複数のウェブに断裁及び折りを実施し印刷物に仕上げる折部と、を有する印刷機に付設され、前記印刷機の運転状態情報を出力する出力装置をそなえ、前記出力装置により、前記印刷機の運転管理を支援する印刷機の運転支援方法であって、
前記運転状態情報として、前記印刷部の運転操作パラメータ情報と前記ウェブ集合部の運転操作パラメータ情報とを表示する表示モードが選択されると、
前記出力装置は、前記使用する印刷部の選択情報と前記パスルートの選定情報とに基づいて、前記印刷部の運転操作パラメータ情報と前記ウェブ集合部の運転操作パラメータ情報とを関連付けて前記運転状態情報として出力する
ことを特徴とする、印刷機の運転支援方法。
【請求項７】
前記出力装置は、前記印刷機の運転状態情報を画像表示する表示装置であるとともに、前記の各運転操作パラメータは、前記ウェブの張力状態であって、
前記表示装置には、前記運転状態情報として、前記複数の各印刷部における前記ウェブの張力状態の検出情報と、前記ウェブ集合部において集合する各前記ウェブの張力状態の検出情報とが、互いに関連付けて表示される
ことを特徴とする、請求項６記載の印刷機の運転支援方法。
【発明の詳細な説明】
【技術分野】
【０００１】
本発明は、複数の新聞用紙が重合され折加工がなされた新聞を生産する新聞輪転機に用いて好適の、印刷機の運転支援装置及び運転支援方法に関する。
【背景技術】
【０００２】
印刷機、特に、輪転印刷機を運転する際には、各種の事前準備や、印刷機の運転時の管理等を行なうことが必要である。
例えば、このような輪転印刷機の運転時に、印刷用連続紙（以下、ウェブという）が所定の張力状態になるように張力状態を管理する必要がある。このため、印刷機のウェブ走行経路には、所定の個所に、ウェブ張力を検出するテションピックアップがそなえられ、印刷機の運転を支援する印刷紙転用端末のディスプレイの画面に検出した張力状態を表示して、印刷オペレータはディスプレイの画面を見ながらウェブの各部の張力状態を管理監視できるようになっている（特許文献１参照）。
【０００３】
特許文献１の技術は、ウェブの張力状態を自動で制御するものであるが、この一方で、印刷オペレータは、輪転印刷機の運転時に、ディスプレイ画面等を通じでウェブの張力状態を監視し、必要に応じてウェブの張力状態を調整操作することが行なわれている。
例えば、新聞輪転機の場合、図５に示すように、新聞輪転機１０は、複数の印刷ユニット（タワーユニット）Ｔ１〜Ｔ６，ウェブパス部１４及び折加工部１５が印刷用紙としての連続紙（ウェブ）Ｗの走行経路にこの順にそなえて構成される。各タワーユニットＴ１〜Ｔ６には、ウェブローラ（巻取紙）１１ａを装着された給紙部１１と、インフィード部１２と、表裏それぞれ適宜の数の版胴及びブランケット胴を備えた印刷部１３とがこの順に設けられている。
【０００４】
ウェブパス部１４は、制御要素としてのコンペンセータローラ等によりウェブパスルートの長さを調整し、ウェブパスルート変更機構により種々の組み合わせで各ウェブＷの重ね合わせ順を変更することができる。なお、新聞輪転機の場合、通常ウェブパス部１４において、スリッタ（図示略）により必要に応じてウェブＷが幅方向に２分割されるため、より複雑なウェブパスルートが形成されることとなる。
【０００５】
また、ウェブパス部１４と折加工部１５との間には、複数のウェブＷを集合させて重合させるウェブ集合部（側面視形状から「スズラン」とも称する）１６を有し、複数のウェブＷはこのウェブ集合部１６で設定された重なり順に集められ次第に接近して重ね合わされて折加工部１５の三角板１５ａに進入するようになっている。
ウェブＷの張力状態は、各印刷ユニット（タワーユニット）Ｔ１〜Ｔ６において、インフィード部１２の出口部（印刷部１３の入口部）１３ａに設けられたインフィードテンションピックアップ（印刷部入口側ウェブ張力検出センサ）１７ａと、印刷部１３の出口部１３ｂに設けられた出口テンションピックアップ（印刷部出口側ウェブ張力検出センサ）１７ｂと、ウェブ集合部（スズラン）１６の各ウェブＷに対して設けられたスズランテンションピックアップ（スズラン部ウェブ張力検出センサ）１７ｃと、によって、各部で検出される。また、給紙部１１にも、テンションピックアップ１７ｄが設けられ、ウェブＷの張力状態が検出される。
【０００６】
オペレータは、これらの検出情報を監視しながら、ウェブテンションの検出値が適正値から外れたら、ウェブテンションを適正値にする為に、ダンサ圧や出口ドラグの周速等を調整する。
【特許文献１】特開２００２−２４８７４３号公報
【発明の開示】
【発明が解決しようとする課題】
【０００７】
ところで、印刷オペレータが各ウェブの各部の張力状態を監視する際に、より把握しやすいディスプレイ画面の表示形態として、実際の印刷機の各部の配置（物理的配置）と対応するように画面上の各ウェブの各部の張力状態を表示することが考えられる。
例えば、図６は、本発明の案出過程で創作された、印刷機の管理用端末のディスプレイ画面に表示する画像の例を示すものである。図６に示すように、各印刷部（各印刷ユニット）をその配置に対応して模式表示（符号３０１ａ〜３０１ｆ参照）すると共に、各印刷部模式表示３０１ａ〜３０１ｆの入口の各テンションピックアップ位置に対応する位置（符号３１１参照）に、入口側のウェブテンションの検出結果を、各印刷部模式表示３０１ａ〜３０１ｆの出口の各テンションピックアップ位置に対応する位置（符号３１２参照）に、出口側のウェブテンションの検出結果を、それぞれ表示している。また、各印刷部に対応する給紙部のウェブテンションの検出結果（符号３１３参照）も並べて表示している。
【０００８】
同様に、ウェブ集合部（スズラン）をその配置に対応して模式表示（符号３０２参照）すると共に、ウェブ集合部の模式表示３０２の各ウェブのテンションピックアップ位置に対応する位置（符号３１４参照）に、ウェブ集合部の各ウェブテンションの検出結果を表示している。
このように、印刷機の各部を模式的画像で表示しながら、テンションピックアップの検出情報を検出部分の物理的な位置と対応させて表示すると、印刷オペレータはどの部分の検出結果であるかを即座に把握できて、印刷を管理する上で極めて有効である。また、ウェブテンションに係る情報を１画面に同時に配置することで、ウェブテンションの管理をより容易に行なうことができる。
【０００９】
オペレータは、ウェブテンションの検出値を監視しながら、ウェブテンションが適正値から外れたらこれを適正値にする為に、ダンサ圧や出口ドラグの周速等を調整する。例えば、ウェブ集合部のあるウェブのテンション検出値が適正値から外れたら、このウェブの印刷部（印刷ユニット）のダンサ圧や出口ドラグの周速等を調整する必要がある。ところが、各印刷部とウェブ集合部との間にはウェブパス部があり、ウェブパス部において、印刷の度にウェブパスルートが変更される可能性があり、各印刷部のウェブがウェブ集合部におけるどのウェブに対応するかは、表示画像からはわからない。したがって、オペレータが調整すべき印刷ユニットを選定するまでに時間がかかっていた。
【００１０】
本発明はこのような課題に鑑み創案されたもので、ウェブの張力状態を監視しながら張力調整が必要になった場合に、速やかに適切な張力調整を行なうことができるようにした、印刷機の運転支援装置及び運転支援方法を提供することを目的とする。
【課題を解決するための手段】
【００１１】
上述の目的を達成するために、本発明の印刷機の運転支援装置（請求項１）は、ウェブに印刷を行なう複数の印刷部と、前記複数の印刷部を選択的に使用して複数の前記ウェブが所定の順序に重なるようにパスルートを選定可能なウェブパス部と、前記ウェブパス部を経た前記複数のウェブを集合させ重合させるウェブ集合部と、重合した前記複数のウェブに断裁及び折りを実施し印刷物に仕上げる折部と、を有する印刷機に付設され、前記印刷機の運転状態情報を出力する出力装置をそなえ、前記印刷機の運転管理を支援する印刷機の運転支援装置であって、前記出力装置は、前記使用する印刷部の選択情報と前記パスルートの選定情報とに基づいて、前記印刷部の運転操作パラメータ情報と前記ウェブ集合部の運転操作パラメータ情報とを関連付けて前記運転状態情報として出力することを特徴としている。
【００１２】
前記出力装置は、前記印刷機の運転状態情報を画像表示する表示装置であるとともに、前記の各運転操作パラメータは、前記ウェブの張力状態であって、前記表示装置には、前記運転状態情報として、前記複数の各印刷部における前記ウェブの張力状態の検出情報と、前記ウェブ集合部において集合する各前記ウェブの張力状態の検出情報とが、互いに関連付けて表示されることが好ましい（請求項２）。
【００１３】
前記表示装置による表示モードとして、前記複数の各印刷部における前記ウェブの張力状態の検出情報、及び、前記ウェブ集合部において集合する各前記ウェブの張力状態の検出情報を、それぞれ、前記複数の各印刷部、及び、前記ウェブ集合部の物理位置に対応させて表示する物理位置対応表示モードと、前記複数の各印刷部における前記ウェブの張力状態の検出情報と、前記ウェブ集合部において集合する各前記ウェブの張力状態の検出情報とを、ウェブ単位で並べて表示するウェブ単位表示モードとを備えていることが好ましい（請求項３）。
【００１４】
前記表示装置による画像表示の際に、該表示画像に対応した前記運転操作パラメータを変更操作する入力装置をそなえ、前記表示装置による前記表示画像には、前記運転状態情報と並べて、前記入力装置による変更操作入力状態が表示されることが好ましい（請求項４）。
また、前記使用する印刷部の選択情報と前記パスルートの選定情報とには、前記印刷機の運転準備時に入力された運転条件情報が用いられることが好ましい（請求項５）。
【００１５】
また、本発明の印刷機の運転支援方法（請求項６）は、ウェブに印刷を行なう複数の印刷部と、前記複数の印刷部を選択的に使用して複数の前記ウェブを所定の順序に重なるようにパスルートを選定可能なウェブパス部と、前記ウェブパス部を経た前記複数のウェブを集合させ重合させるウェブ集合部と、重合した前記複数のウェブに断裁及び折りを実施し印刷物に仕上げる折部と、を有する印刷機に付設され、前記印刷機の運転状態情報を出力する出力装置をそなえ、前記出力装置により、前記印刷機の運転管理を支援する印刷機の運転支援方法であって、前記運転状態情報として、前記印刷部の運転操作パラメータ情報と前記ウェブ集合部の運転操作パラメータ情報とを表示する表示モードが選択されると、前記出力装置は、前記使用する印刷部の選択情報と前記パスルートの選定情報とに基づいて、前記印刷部の運転操作パラメータ情報と前記ウェブ集合部の運転操作パラメータ情報とを関連付けて前記運転状態情報として出力することを特徴としている。
【００１６】
この場合も、前記出力装置は、前記印刷機の運転状態情報を画像表示する表示装置であるとともに、前記の各運転操作パラメータは、前記ウェブの張力状態であって、前記表示装置には、前記運転状態情報として、前記複数の各印刷部における前記ウェブの張力状態の検出情報と、前記ウェブ集合部において集合する各前記ウェブの張力状態の検出情報とが、互いに関連付けて表示されることが好ましい（請求項７）。
【発明の効果】
【００１７】
本発明の本発明の新聞輪転機の運転支援装置（請求項１）及び運転支援方法（請求項６）によれば、出力装置が、使用する印刷部の選択情報とパスルートの選定情報とに基づいて、印刷部の運転操作パラメータ情報とウェブ集合部の運転操作パラメータ情報とを関連付けて印刷機の運転状態情報として出力するので、オペレータは、印刷部とウェブ集合部のウェブとの対応関係を自身で選定することなく、出力装置からの出力を用いて、印刷部の運転操作パラメータとウェブ集合部の運転操作パラメータとを連携して操作することが可能になる。
【００１８】
したがって、印刷部の運転操作パラメータ及びウェブ集合部の運転操作パラメータが、ウェブの張力状態であれば、オペレータは、例えば、ウェブ集合部のウェブの張力状態の出力と、これに対応する印刷部のウェブの張力とを参照しながら、かかるウェブの張力状態を適切なものに調整することが可能になる（請求項２，７）。
また、出力装置が印刷機の運転状態情報を画像表示する表示装置であって、各印刷部におけるウェブの張力状態の検出情報と、ウェブ集合部において集合する各ウェブの張力状態の検出情報とが、互いに関連付けて表示されれば、オペレータは、表示画像を見ながら、着目したウェブの張力状態を適切なものに調整することが可能になる（請求項２，７）。
【００１９】
この場合、表示装置による表示モードに、各印刷部におけるウェブの張力状態の検出情報、及び、ウェブ集合部において集合する各ウェブの張力状態の検出情報を、それぞれの物理位置に対応させて表示する物理位置対応表示モードと、ウェブ単位で並べて表示するウェブ単位表示モードとを備えれば、ウェブ単位表示モードによるウェブ単位での張力管理と、物理位置対応表示モードによる検出系（センサ）の管理とをそれぞれ容易に行なうことができる（請求項３）。
【００２０】
また、表示装置による表示画像には、運転状態情報と並べて、入力装置による変更操作入力状態が表示されれば、表示画像を確認しながら変更操作を行なうことができ、変更操作を容易にしかも間違いなく行なうことができる（請求項４）。
前記の使用する印刷部の選択情報とパスルートの選定情報とに、印刷機の運転準備時に入力された運転条件情報が用いられれば、特別な入力操作をすることなく、使用する印刷部の選択情報とパスルートの選定情報とを得ることができ効率的になる（請求項５）。
【発明を実施するための最良の形態】
【００２１】
以下、図面を参照して本発明の実施形態について説明する。
図１〜図４は本発明の一実施形態にかかる印刷用ウェブ張力プリセット装置、並びに新聞輪転機の運転支援装置及び方法を説明するものであり、これらの図１〜図４を参照すると共に、既に用いた図６を参照して説明する。
なお、本実施形態は、輪転印刷機（単に、印刷機ともいう）として複数の印刷ユニット（印刷部）により新聞印刷を行う新聞用オフセット輪転印刷機（新聞輪転機）に本発明を適用したものである。
まず、新聞輪転機及びその運転支援装置を説明しながら、ウェブ張力にかかる運転支援の装置及び方法を説明する。
【００２２】
＜新聞輪転機の構成＞
図１に示すように、本実施形態にかかる新聞輪転機１０は、周知の構成となっており、複数の印刷ユニット（タワーユニット）Ｔ１〜Ｔｎ，ウェブパス部１４及び折加工部１５が印刷用紙としての連続紙（ウェブ）Ｗの走行経路にこの順にそなえて構成される。
【００２３】
また、各タワーユニットＴ１〜Ｔｎには、ウェブローラ（巻取紙）１１ａを装着された給紙部１１と、インフィード部１２と、表裏それぞれ適宜の数の版胴及びブランケット胴を備えた印刷部１３とがこの順に設けられている。
ウェブパス部１４は、制御要素としてのコンペンセータローラ等によりウェブパスルートの長さを調整し、ウェブパスルート変更機構により種々の組み合わせで各ウェブ１の重ね合わせ順を変更することができる。なお、新聞輪転機の場合、通常ウェブパス部１４において、スリッタ（図示略）により必要に応じてウェブ１が幅方向に２分割されるため、より複雑なウェブパスルートが形成されることとなる。
【００２４】
また、ウェブパス部１４と折加工部１５との間には、複数のウェブＷを集合させて重合させるウェブ集合部（側面視形状から「スズラン」とも称する）１６を有し、複数のウェブＷはこのウェブ集合部１６で設定された重なり順に集められ次第に接近して重ね合わされて折加工部１５の三角板１５ａに進入するようになっている。
このような新聞輪転機に関し、印刷実施前に印刷条件の設定を行なったり、印刷実施時に各部の運転状態を監視し管理をしたりするため、印刷機の運転支援システムが備えられている。
【００２５】
＜新聞輪転機の運転支援システム＞
図３はかかる運転支援システムの概要を示す構成図であり、図示するように、運転支援システム２０は、ハブ（スイッチングハブ）２２を通じて接続された製版端末２１及び各コンソール端末２３を備えている。製版端末２１は、例えば製版室に装備され、接続された上位システム３０から製版データを受信し、管理する。コンソール端末２３は、新聞輪転機毎に装備され、新聞輪転機に備えられた種々の制御装置２４ａ〜２４ｆとネットワーク（例えばＰＬＣネットワーク）により接続され、制御装置２４ａ〜２４ｆの制御や監視を支援する。
【００２６】
各コンソール端末２３は、図２に示すように、コンピュータ本体２３１と、ディスプレイ（表示装置）２３２とを備え、コンピュータ本体２３１は、ハブ２２及びネットワーク（ＰＬＣネットワーク）と接続されている。なお、本実施形態では、製版端末２１も、各コンソール端末２３と同様の構造及び機能を含んでいるが、ここでは、コンソール端末２３を代表して説明する。
【００２７】
コンソール端末２３のディスプレイ２３２は、画面表示により印刷機の運転状態情報を出力するため出力装置として機能する。また、コンソール端末２３のディスプレイ２３２の表示画面には、タッチパネル２３３が畳重して装備されており、このタッチパネル２３３が印刷条件の設定を含む新聞輪転機の運転指令情報を入力する入力装置として機能する。
【００２８】
コンピュータ本体２３１には、その機能要素として、タッチパネル２３３を通じた入力に応じて印刷条件の設定等にかかる演算処理を行なう演算装置２３１ａと、印刷機の運転を指令する指令装置２３１ｂと、ディスプレイ２３２の表示画像を制御する画像制御装置２３１ｃと、データベースとして機能するメモリ２３１ｄとをそなえている。
さらに、指令装置２３１ｂの機能要素にウェブ張力調整機構を調整する制御装置が含まれている。
【００２９】
＜ウェブ張力状態の検出及び表示＞
このような新聞輪転機において、ウェブＷを適切な張力状態として印刷装置（印刷ユニット）を走行させることが、印刷を適正にするため及び断裁を適正にするために要求される。
【００３０】
このため、図１に示すように、各印刷ユニット（タワーユニット）Ｔ１〜Ｔｎには、給紙部１１において検出する給紙部テンションピックアップ１７ｄと、印刷部１３の入口部（インフィード部１２の出口部）１３ａにおいて検出するインフィードテンションピックアップ（印刷部入口側ウェブ張力検出センサ）１７ａと、印刷部１３の出口部１３ｂにおいて検出する出口テンションピックアップ（印刷部出口側ウェブ張力検出センサ）１７ｂと、ウェブ集合部（スズラン）１６の各ウェブＷに対して設けられたスズランテンションピックアップ（スズラン部ウェブ張力検出センサ）１７ｃとが備えられ、これらによって、各ウェブＷの張力状態を各部で検出するようになっている。そして、これらのテンションピックアップ１７ａ〜１７ｄの検出結果がディスプレイ２３２に表示されるようになっている。
【００３１】
この一方で、印刷機には、ウェブＷの張力状態を制御するウェブ張力調整機構が備えられ、タッチパネル２３３を通じてウェブ張力調整機構を制御することができるように構成されている。
ウェブ張力調整機構としては、インフィード部１２に備えられたダンサローラ１８を加圧するエアシリンダのエア圧（インフィードダンサエア圧、略して、ダンサ圧とも称する）を制御するエア圧（ダンサ圧）調整装置１８ａと、印刷部１３の出口部１３ｂにおいてウェブＷを駆動する出口ドラグローラの回転速度調整装置（図紙略）とがそなえられ、これらの調整装置を、タッチパネル２３３を通じた指令値の操作で制御することにより、ウェブＷの張力状態を制御することができる。
【００３２】
このため、ディスプレイ２３２には、図６に示すような表示画面２３２ａを表示する物理位置対応表示モードと、図４に示すような表示画面２３２ｂを表示するウェブ単位表示モードと、を選択して表示できるようになっている。
図６に示す表示画面は、既に説明したが、画面中央において、各印刷部１３におけるウェブＷの張力状態の検出情報と、ウェブ集合部１６において集合する各ウェブＷの張力状態の検出情報とを、それぞれの印刷部位置、及び、ウェブ集合部のウェブ位置、といった物理位置に対応させて表示している。
【００３３】
つまり、各印刷部（各印刷ユニット）をその配置に対応して模式表示（符号３０１ａ〜３０１ｆ参照）し、各印刷部模式表示３０１ａ〜３０１ｆの入口の各テンションピックアップ位置に対応する位置（符号３１１参照）に、入口側のウェブテンションの検出結果を、各印刷部模式表示３０１ａ〜３０１ｆの出口の各テンションピックアップ位置に対応する位置（符号３１２参照）に、出口側のウェブテンションの検出結果を、それぞれ表示している。また、各印刷部に対応する給紙部のウェブテンションの検出結果（符号３１３参照）も並べて表示している。さらに、ウェブ集合部（スズラン）をその配置に対応して模式表示（符号３０２参照）すると共に、ウェブ集合部の模式表示３０２の各ウェブのテンションピックアップ位置に対応する位置（符号３１４参照）に、ウェブ集合部の各ウェブテンションの検出結果を表示している。
【００３４】
なお、図６において、画面２３２ａの下部には、メニューエリア３３１が設けられ、表示したい操作画面（又は設定画面）を選定するためのキーが模式的な絵柄を添えて表示されている。これらのキーの中からいずれかを選択して指定操作（この場合、キー部分へのタッチ）をすることで、表示したい操作画面を画面中央に表示することができる。また、画面の上部には、選択した操作画面（操作モード）と印刷機全体の状態等を表示する状態表示エリア３３２が設けられている。
【００３５】
一方、図４に示す表示画面は、画面中央左側において、各印刷部１３におけるウェブＷの張力状態の検出情報と、ウェブ集合部１６において集合する各ウェブＷの張力状態の検出情報とを、各ウェブ単位で並べて表示している。
つまり、画面中央左側のウェブテンション表示領域において、印刷機の給紙部１１及び印刷部１３の配置構成を模して、画面中で下から上にウェブＷが進行するように、各ウェブのウェブテンションの検出値が縦並びに表示されている。最も左側には表示項目の種別３２０が表示され、下から、給紙状態，残巻径，巻幅，アーム位置，ダンサ圧，給紙テンションといった給紙部１１の状態に関する各項目名、さらに、紙パスルートを指定する紙通しＩＤ、インフィードテンション、ウェブ幅方向に並んだ各頁Ａ，Ｂ，Ｃ，Ｄ番号、ユニット出口テンション、スズランテンション（操作側、駆動側に分けて表示）の各項目名が記載されている。
【００３６】
また、ウェブテンション表示領域において、下部に、給紙部１１の種別情報（２−１Ｒ〜２−５Ｒ）３２１、上下中央部に、印刷部１３の種別情報（２−１Ｔ〜２−５Ｔ）３２２が、それぞれ表示されている。給紙部１１の種別情報３２１と印刷部１３の種別情報３２２とは、基本的にはリンクするので、給紙部１１の種別情報３２１に対応して印刷部１３の種別情報３２２が表示される。
【００３７】
また、各頁Ａ，Ｂ，Ｃ，Ｄ番号と、給紙部１１の種別情報３２１及び印刷部１３の種別情報３２２とに対応して、具体的な頁割付情報３２３が表示される。この頁割付情報は、オペレータによって、印刷前の印刷機の運転準備時に運転条件情報として入力される。頁割付情報がコンソール端末２３（コンピュータ本体２３１）に入力されると、この頁割付情報に基づいて、使用する印刷部の選択情報が算出される。また、紙通しＩＤ情報を入力し、パスルートが決定される。このように、使用する印刷部の選択情報とパスルートの選定情報とを予め入力された運転条件情報から得ることで作業を効率的に行なえるようになっている。
【００３８】
そして、ウェブテンション表示領域において、上部に、ウェブ集合部（スズラン）１６におけるウェブテンションピックアップの位置番号（１〜１０）３２４が、給紙部１１の種別情報３２１及び印刷部１３の種別情報３２２に対応して表示される。このテンションピックアップの位置番号３２４は、各給紙部及び印刷部のウェブに対するテンションピックアップの位置を対応させて表示するもので、この対応は上記のパスルートの選定情報から決定され表示される。
【００３９】
そして、給紙部テンションピックアップ１７ｄの検出情報は、これに対応する給紙テンション欄３２５ｄに、各ウェブ（即ち、各給紙部及び印刷部）に対応して表示され、インフィードテンションピックアップ１７ａの検出情報は、これに対応するインフィードテンション欄３２５ａに、各ウェブ（即ち、各給紙部及び印刷部）に対応して表示され、出口テンションピックアップ１７ｂの検出情報は、これに対応するユニット出口テンション欄３２５ｂに、各ウェブ（即ち、各給紙部及び印刷部）に対応して表示され、スズランテンションピックアップ１７ｃの検出情報は、これに対応するスズランテンション欄３２５ｃに、各ウェブ（即ち、各給紙部及び印刷部）及び駆動側，操作側に対応して表示される。
【００４０】
また、この例では、ダンサ圧がダンサ圧欄３２６に、各ウェブ（即ち、各給紙部及び印刷部）に対応して表示される。
したがって、この画面出力から、スズランテンションピックアップ１７ｃの検出情報がいずれのウェブ（即ち、いずれの給紙部及び印刷部）のものであるかを容易に把握することができるようになっている。
【００４１】
また、テンションピックアップ１７ａ〜１７ｄの検出情報に基づいて、インフィード部１２のダンサ圧や、印刷部１３の出口部１３ｂの出口ドラグの調整を行なう場合には、かかる画面上に調整スイッチを表示させて、所要の検出情報を参照しながら調整スイッチを操作できるようになっている。これにより、操作性を高め、変更操作を容易にしかも間違いなく行なえるようにしている。
【００４２】
なお、ここでは、画面右側に、各コンペンセータの状態を表示するコンペン欄３２７及び折機の各部の状態を表示する折機欄３２８が同時に表示され、一画面で、各現在値も表示することで、現在の運転状態を一目で把握することができるようになっている。
【００４３】
＜作用及び効果＞
本発明の一実施形態にかかる印刷機の運転支援装置は上述のように構成されているので、物理位置対応表示モードを選択して、ディスプレイ２３２に図６に示すような表示画面２３２ａを表示すると、スズランテンションピックアップ１７ｃについて、ウェブ集合部（スズラン）１６のどの位置の検出系（センサ）であるかを把握することができるので、検出系（センサ）の管理、メンテナンスをそれぞれ容易に行なうことができる。
【００４４】
一方、ウェブ単位表示モードを選択して、図４に示すような表示画面２３２ｂを表示すると、この画面出力から、スズランテンションピックアップ１７ｃの検出情報がいずれのウェブ（即ち、いずれの給紙部及び印刷部）のものであるかを容易に把握することができるので、スズランテンションピックアップ１７ｃの検出情報から、これに対応したインフィード部１２のダンサ圧や、印刷部１３の出口部１３ｂの出口ドラグの調整を、瞬時に、誤りなく行なうことが可能になり、作業効率の向上と、オペレータの負担軽減とを行えるようになる。
【００４５】
この結果、ウェブＷを適切な張力状態として印刷装置（印刷ユニット）を走行させることがきで、印刷及び断裁を適正に実施することができ、印刷物（本実施形態の場合、新聞）の品質を向上させることができる。
【００４６】
＜その他＞
なお、本発明は、かかる実施形態に限定されるものではなく、本発明は、その趣旨を逸脱しない範囲で、上記の実施形態に対して種々変形を加えて実施することができる。
【００４７】
例えば、本実施形態は、新聞輪転機に関しているが、本発明は、ウェブを用いて印刷すると共にウェブ集合部（スズラン）を有する輪転印刷機に広く適用しうる。
また、本実施形態は、印刷部の運転操作パラメータとウェブ集合部の運転操作パラメータとを、ウェブの張力状態としているが、かかる運転操作パラメータとしては、ウェブの張力状態に限るものではなく、コンペンセータ、ターンバーに係る運転操作状況など、印刷部の運転操作パラメータとウェブ集合部の運転操作パラメータとの対応を要求され印刷の運転操作パラメータに広く適用できる。
【図面の簡単な説明】
【００４８】
【図１】本発明の一実施形態にかかる新聞輪転機の構成とその運転支援装置の主要構成とを示す概略図である。
【図２】本発明の一実施形態にかかる新聞輪転機の運転支援装置の主要部分を示す斜視図である。
【図３】本発明の一実施形態にかかる新聞輪転機の運転支援システムの概略構成図である。
【図４】本発明の一実施形態にかかる新聞輪転機の運転支援装置のディスプレイ表示画面の例を示す図である。
【図５】一般的な新聞輪転機の構成を示す概略図である。
【図６】本発明の課題を説明するもので、新聞輪転機の運転支援装置のディスプレイ表示画面の例を示す図である。
【符号の説明】
【００４９】
１０新聞輪転機
１１  給紙部
１１ａ  ウェブローラ（巻取紙）
１２  インフィード部
１３  印刷部
１３ａ  印刷部１３の入口部（インフィード部１２の出口部）
１３ｂ  印刷部１３の出口部
１４  ウェブパス部
１５  折加工部
１５ａ  三角板
１６  ウェブ集合部（スズラン）
１７ａ  インフィードテンションピックアップ（印刷部入口側ウェブ張力検出センサ）
１７ｂ  出口テンションピックアップ（印刷部出口側ウェブ張力検出センサ）
１７ｃ  スズランテンションピックアップ（スズラン部ウェブ張力検出センサ）
１７ｄ  給紙部テンションピックアップ
１８  ダンサローラ
１８ａ  エア圧（ダンサ圧）調整装置
２０  運転支援システム
２１  製版端末
２２  ハブ（スイッチングハブ）
２３  コンソール端末
２４ａ〜２４ｆ  制御装置
３０  上位システム
２３１  コンピュータ本体
２３１ａ  演算装置
２３１ｂ  画像制御装置
２３２  ディスプレイ（表示装置）
２３２ａ，２３２ｂ  表示画面
２３３  タッチパネル（入力装置）
３０１ａ〜３０１ｆ  印刷部（各印刷ユニット）の模式表示
３０２  ウェブ集合部の模式表示
３１１〜３１４  テンションピックアップ表示
３２０  表示項目の種別
３２１  給紙部１１の種別情報
３２２  印刷部１３の種別情報
３２３  頁割付情報
３２４  テンションピックアップの位置番号
３２５ｄ  給紙テンション欄
３２５ａ  インフィードテンション欄
３２５ｂ  ユニット出口テンション欄
３２５ｃ  スズランテンション欄
３２６  ダンサ圧欄
３２７  コンペン欄
３２８  折機欄
３３１  メニューエリア
３３２  状態表示エリア
Ｔ１〜Ｔｎ  印刷ユニット（タワーユニット）
Ｗ  連続紙（ウェブ）
【図１】
0005060348.tif 000002
【図２】
0005060348.tif 000003
【図３】
0005060348.tif 000004
【図４】
0005060348.tif 000005
【図５】
0005060348.tif 000006
【図６】
0005060348.tif 000007